(57)【要約】【課題】代掻き作業機の前方に装着される泥除け材に、圃場の泥水上を浮遊する藁等の浮遊物をシールドカバー内部へ引き寄せる機能を持たせたる。【解決手段】トラクタ２０の後部に装着され、トラクタ２０からの動力を受けて水平軸回りに回転する耕耘ロータ６とその上方を覆うシールドカバー２とを備える代掻き作業機１０において、シールドカバー２の進行方向前方側に泥除け材１を接続する。泥除け材１は長手方向に分割された複数の受け片１ｅを有し、受け片１ｅの表面に、作業機１０の幅方向両側から中央部側へかけて前方から後方に向かう傾斜がつけられた状態でシールドカバー２の進行方向前方側に接続される。これにより、泥除け材１の前方に存在する泥水を受け片１ｅの傾斜した表面で押したときに、隣接した受け片１ｅ、１ｅ間の間隙１ｄから泥除け材１の背面側へ誘導させることが可能となる。【選択図】図１
2010178720.tif 000002
【特許請求の範囲】
【請求項１】
トラクタの後部に装着され、前記トラクタからの動力を受けて水平軸回りに回転する耕耘ロータとその上方を覆うシールドカバーとを備える代掻き作業機において、
長手方向に分割された複数の受け片を有する泥除け材が、前記受け片の表面に、前記代掻き作業機の幅方向両側から中央部側へかけて前方から後方に向かう傾斜が付けられた状態で前記シールドカバーの進行方向前方側に接続されていることを特徴とする代掻き作業機。
【請求項２】
前記受け片の、前記代掻き作業機の中央部側に位置する端部が、前記受け片に隣り合った受け片の、前記代掻き作業機の幅方向両側に位置する端部よりも進行方向後方側に位置されていることを特徴とする請求項１に記載の代掻き作業機。
【請求項３】
前記泥除け材の前記各受け片の下端部に、前記代掻き作業機の幅方向両側から中央部側へかけて下方から上方へ向かう傾斜が付けられていることを特徴とする請求項１、もしくは請求項２に記載の代掻き作業機。
【請求項４】
前記泥除け材は上方から下方へかけて前記代掻き作業機の進行方向前方側から後方側へ傾斜した状態で前記シールドカバーに接続されていることを特徴とする請求項１乃至請求項３のいずれかに記載の代掻き作業機。
【請求項５】
トラクタの後部に装着され、前記トラクタからの動力を受けて水平軸回りに回転する耕耘ロータとその上方を覆うシールドカバーとを備える代掻き作業機の前記シールドカバーに接続され、
長手方向に分割された複数の受け片を有し、前記受け片の表面に、長さ方向一方側から他方側へかけて前方から後方に向かう傾斜が付けられた状態で前記シールドカバーに接続されていることを特徴とする代掻き作業機用泥除け材。
【請求項６】
前記受け片の前記他方側に位置する端部が、前記受け片に隣り合った受け片の前記長さ方向一方側に位置する端部よりも進行方向後方側に位置されていることを特徴とする請求項５に記載の代掻き作業機用泥除け材。
【請求項７】
前記各受け片の下端部に、前記長さ方向一方側から前記他方側へかけて下方から上方へ向かう傾斜が付けられていることを特徴とする請求項５、もしくは請求項６に記載の代掻き作業機用泥除け材。
【発明の詳細な説明】
【技術分野】
【０００１】
本発明はトラクタの後部に装着され、圃場を耕耘する耕耘ロータを備える代掻き作業機であり、特に耕耘ロータに突設されている耕耘爪が飛散させる泥土等のトラクタへの飛散を防止する目的で、シールドカバーの前方側に泥除け材が取り付けられた代掻き作業機、及びそれに使用される泥除け材に関するものである。
【背景技術】
【０００２】
代掻き作業機の耕耘ロータがダウンカット回転する場合、耕耘爪が泥水面から抜け出るときに掻き揚げる泥水は遠心力によりシールドカバーに向かって撒き散らされる。この泥水はシールドカバーの内周面に沿い、前方側へ向かって流れるが、シールドカバーの前端部分から滴り落ちるため、トラクタにまで飛散することはほとんど無い。
【０００３】
但し、耕耘爪が泥水中に食い込むときには、水面を激しく叩くため、泥水が四散し、飛散した泥水が代掻き作業機の前方に位置するトラクタにまで及ぶことがある。このような場合に、泥水の飛散を防止する目的で、シールドカバーの前方に飛散防止カバーを接続することがある（特許文献１参照）。
【０００４】
特許文献１のように飛散防止カバーをシールドカバーの前方に懸垂させた状態で接続した場合には、飛散防止カバーは耕耘ロータの回転の向きに沿った方向を向くため、その背面において耕耘ロータが飛散させた泥土と泥水をある程度、堰き止めることができるものと考えられる。
【０００５】
しかしながら、飛散防止カバーをシールドカバーに接続し、垂設させているため、代掻き作業時に飛散防止カバーが耕耘ロータ側に巻き込まれたり、飛散した泥の勢いによって前方側へめくれ上がったりすることがあり、飛散防止カバーに安定した飛散防止効果を期待することができない。この点では、飛散防止カバーを上方から下方へかけて進行方向後方側へ傾斜させた状態でシールドカバーに固定することが有利であると考えられる（特許文献２参照）。
【０００６】
一方、代掻き作業機は主に田植えの前段階に、泥土上に泥水が貯留している圃場を耕耘する目的で圃場を走行するが、泥水が貯留した圃場には藁や雑草等が浮遊していることが多く、これらの浮遊物は田植え時に苗に巻き込まれ易いため、圃場から除去されることが望ましい。この浮遊物を除去する観点から浮遊物を耕土内に鋤き込むために、作業機に藁等の浮遊物を作業機幅方向中央側へ引き寄せるためのフロントレーキ体を付けることも行われる（特許文献３参照）。
【先行技術文献】
【特許文献】
【０００７】
【特許文献１】特開２００１−１６９０４号公報（請求項１、請求項２、段落００１１、００１７〜００１９、図１〜図４）
【特許文献２】実開昭４９−４３４０６号公報（明細書第３頁第５行〜第１７行、図面）
【特許文献３】特開２００５−１３００８号公報（請求項８、段落００２１、００２２、００２６、図８）
【発明の概要】
【発明が解決しようとする課題】
【０００８】
特許文献２では上記のように飛散防止カバーを、上方から下方へかけて後方へ傾斜させた状態でシールドカバーに固定しているが、飛散防止カバー自体は泥水の飛散を防止しながら、代掻き作業中にその前方に存在する浮遊物を作業機幅方向中央側へ誘導する機能を持たない。また飛散防止カバーの先端部分が泥水中に浸かっている状態では、逆に浮遊物を耕耘ロータの外側に拡散させてしまうことがある。
【０００９】
特許文献３において作業機の前方側に接続されるフロントレーキ体は作業機の前方に存在する藁等の浮遊物を強制的に圃場の泥土中に鋤き込むことを可能にするが、シールドカバー内からの泥土と泥水の飛散を防止する機能を併せ持つ訳ではないため、前記した飛散防止カバーとして用いられることはない。
【００１０】
本発明は上記背景より、浮遊物を耕耘ロータ側へ誘導する機能を持つ泥除け材をシールドカバーの前方に装着した代掻き作業機、及びそれに使用される泥除け材を提案するものである。
【課題を解決するための手段】
【００１１】
請求項１に記載の発明の代掻き作業機は、トラクタの後部に装着され、前記トラクタからの動力を受けて水平軸回りに回転する耕耘ロータとその上方を覆うシールドカバーとを備える代掻き作業機において、
長手方向に分割された複数の受け片を有する泥除け材が、前記受け片の表面に、前記代掻き作業機の幅方向両側から中央部側へかけて前方から後方に向かう傾斜が付けられた状態で前記シールドカバーの進行方向前方側に接続されていることを構成要件とする。
【００１２】
前記のように作業機（代掻き作業機を含む）の前方にフロントレーキ体を配置することで、浮遊物を作業機側へ誘導することが可能であることから、浮遊物のシールドカバーへの誘導を図る上では、代掻き作業機（以下、本項目中、作業機と言う）の前方にフロントレーキ体に相当し得る部材を配置することが適切である。そこで、シールドカバーの進行方向前方側に泥除け材を接続し、この泥除け材に泥水の引き寄せ機能を持たせることで、作業機の進行方向前方側に存在する泥水を作業機側に誘導することが可能になる。
【００１３】
泥除け材はシールドカバーの前方側に接続されることで、本来的には耕耘ロータが掻き上げる泥水と泥土を背面で受け止めて落下させ、トラクタ側への飛散を防止する機能を有するため、トラクタを泥水と泥土から保護する意味から、基本的には作業機の幅方向と高さ方向に長さと幅を持った板状に形成される。また背面が受ける泥水と泥土を表面側に飛散させることなく、背面側に落下させる意味からは、泥水等による圧力によっては容易に表面側へ曲げ変形しない程度の厚さを持つ。
【００１４】
一方、泥除け材は作業機のシールドカバーに接続されることで、下端部が泥水中に浸かる状態になることもあるから、泥除け材が作業中に稲株や土塊から過大な抵抗を受けることがないよう、下端部が受ける稲株や土塊からの抵抗によって適度に曲げ変形し得る弾性を有することが望ましい。以上のことから、泥除け材は例えばポリプロピレン、ポリエチレン、ポリ塩化ビニル、酢酸ビニル等の合成樹脂、もしくはゴム（合成ゴム）の他、鋼板、ステンレススチール等の金属材料等、適度の弾性を有する材料により製作される。
【００１５】
泥除け部材の長手方向を複数の受け片に分割し、受け片の表面に、代掻き作業機の幅方向両側から中央部側へかけて前方から後方に向かう傾斜がつけられた状態でシールドカバーの進行方向前方側に接続されることにより、泥除け材の前方に存在する泥水を受け片の傾斜した表面で押したときに、隣接した受け片間の間隙から泥除け材の背面側へ誘導する働きをする。
【００１６】
ここで、例えば前記した特許文献１のように飛散防止カバー全体が長さ方向（作業機の幅方向）に複数のカバー要素に分割されている場合（特許文献１の請求項２）には、隣接するカバー要素が単なる切れ目によって分離しているに過ぎず、しかもカバー要素の長さ方向が進行方向前方側に向かって傾斜することなく、立面上、直交方向を向いている場合には、カバー要素（泥除け材）の前面で押した泥水を作業機の幅方向のいずれかの向きに誘導することはできない。
【００１７】
これに対し、本発明では長手方向に分割された複数の受け片を有する泥除け材が、受け片の表面に、代掻き作業機の幅方向両側から中央部側へかけて前方から後方に向かう傾斜がつけられた状態でシールドカバーの進行方向前方側に接続されることで、泥除け材の前方に存在する泥水を受け片の傾斜した表面で押したときに、隣接した受け片間の間隙から泥除け材の背面側へ誘導させることが可能である。
受け片の表面の、代掻き作業機の幅方向両側から中央部側へかけて前方から後方に向かう傾斜とは、シールドカバーとの接続状態にかかわらず受け片自体そのものが前記傾斜を有している場合と、シールドカバーとの接続状態により形成される場合の２通りがある。
また、受け片の傾斜は、直線、曲線、もしくは直線と曲線の組合せ等により付けられる。
【００１８】
泥除け材の表面に、代掻き作業機の幅方向両側から中央部側へかけて前方から後方に向かう複数の傾斜がつけられることで、泥除け材の前方に存在する泥水は隣接した受け片間の間隙から泥除け材の背面側へ誘導されることになる。このとき泥除け材（受け片）の表面の傾斜は、作業機の幅方向両側から中央部側へ傾斜していることで、泥除け材（受け片）の表面に押された泥水は作業機の幅方向両側寄りから中央部寄りに速度を持って移動するため、常に作業機の中央部寄りに送り込まれていくことになる。受け片の傾斜による泥水の送り込み効果は受け片の傾斜角度、作業機の走行速度、水深その他の条件に関係すると考えられる。受け片の数、傾斜角度は適宜設定される。
結果として作業機の前方に存在する泥水上を浮遊する藁等の浮遊物を自然に作業機側へ誘導する（その場に引き留めるか、あるいは作業幅（作業機の幅）の外側に流れ出さないようにする）ことが実現される。
【００１９】
浮遊物が作業機側へ誘導され、シールドカバー内部に取り込まれることで、浮遊物は耕耘ロータに巻き込まれ、泥土中に埋め込まれて（鋤き込まれて）いくことになる。浮遊物が泥土中に埋め込まれることで、田植え時に浮遊物が浮遊することによる苗への巻き込みがなくなり、浮遊物による苗への影響、並びに植え付け作業への影響が回避される。
【００２０】
泥除け材は単体では、トラクタの後部に装着され、トラクタからの動力を受けて水平軸回りに回転する耕耘ロータとその上方を覆うシールドカバーとを備える代掻き作業機のシールドカバーに接続され、
長手方向に分割された複数の受け片を有し、前記受け片の表面に、長さ方向一方側から他方側へかけて前方から後方に向かう傾斜が付けられた状態で前記シールドカバーに接続されていることを構成要件とする（請求項５）。
【００２１】
ここで、「長さ方向一方側」は請求項１における「代掻き作業機の幅方向両側」に対応し、「長さ方向他方側」は請求項１における「代掻き作業機の幅方向中央部側」に対応する。「長さ方向一方側」と「他方側」とは、泥除け材の単体が表面側と背面側を反転させて使用可能な場合もあることを意味する。２枚１組（左右対称）の泥除け材（受け片の集合状態）が代掻き作業機の幅方向の中心に関して対称に配置されれば、受け片の表面に「代掻き作業機の幅方向両側から中央部側へかけて前方から後方に向かう傾斜が付けられ」（請求項１）の要件を満たすことによる。
【００２２】
泥除け材は作業機の幅方向には１枚でシールドカバーの全幅（全長）に亘る長さを有する場合もあれば、複数枚、連続的、もしくは断続的に配列することで、シールドカバーの全幅に亘る長さを有する場合もある。断続的に配列する場合には、隣接する泥除け材は両者間の空隙から泥水が泥除け材の表面側に吐出しない程度の間隔で配列する。
【００２３】
泥除け材がシールドカバーの全幅に亘って配列する場合には、隣接する泥除け材間に空隙が存在しない状態になるため、泥水等の飛散防止効果が向上する。但し、三点リンク等のあるトラクタの真後ろ部分においては、これら部材により泥水が遮られるので、泥除け材がなくてもそれによる影響は少ない。
【００２４】
結局、トラクタへの泥水飛散防止を目的とする泥除け材はトラクタの真後ろ部分を除く部分全体に配置されることが好ましい。シールドカバーへの接続状態で、受け片の傾斜は泥除け材の幅方向全域に形成されることが望ましいが、少なくとも幅方向両側の領域に形成されていれば、泥水、あるいは浮遊物を作業機の中央部側へ誘導する効果が期待される。
【００２５】
泥除け材は作業機の高さ方向には、シールドカバーへの接続状態で、原則として作業時には下端、あるいは最下端が泥水の水面に接触するか、泥水に浸かる程度の高さを有する。
【００２６】
また、前記状態での受け片の傾斜が泥水等を作業機の中央部側へ誘導する効果を発揮する上では、受け片の、代掻き作業機の中央部側に位置する端部が、前記した受け片に隣り合った受け片の、代掻き作業機の幅方向両側に位置する端部よりも進行方向後方側に位置していればよい（請求項２）。
【００２７】
請求項２に記載の代掻き作業機における泥除け材は単体では、受け片の前記他方側に位置する端部が、前記受け片に隣り合った受け片の前記長さ方向一方側に位置する端部よりも進行方向後方側に位置されていることを構成要件とする（請求項６）。ここでの「前記長さ方向」は請求項５における「長さ方向」を意味し、「長さ方向一方側」と「長さ方向他方側」はそれぞれ請求項１における「代掻き作業機の幅方向両側」と「代掻き作業機の幅方向中央部側」に対応し、「長さ方向一方側」と「他方側」とは、泥除け材の単体が表面側と背面側を反転させて使用可能な場合もあることを意味する。
【００２８】
具体的には泥除け材を構成する各受け片の、作業機の中央部寄りの部分を泥除け材の幅方向（高さ方向）の軸の回りに後面側へ捩じり、受け片を湾曲、もしくは屈曲させることよって、または各受け片の、作業機の中央寄りの部分を泥除け材の背面側へ捩じることによって得られる。
なお、湾曲量、屈曲量、捩じり量等は適宜設定される。
【００２９】
これに対し、作業機の両側よりも中央部側の端部が進行方向後方側に位置する傾斜が付けられたシールドカバーの取付部に各受け片が接続されることで各受け片に傾斜が付けられる場合もある。傾斜は、直線、曲線、もしくは直線と曲線との組合せ等により付けられる。この場合は、図１２−（ｃ）に示すようにシールドカバーの前面の取付部（図中符号２ｂで示す）の表面が、作業機の両側よりも中央部側が進行方向後方側となる傾斜が付けられることで得られる。図１２−（ｃ）では右側が泥除け材の中央部側になる。
【００３０】
受け片が図１−（ｃ）もしくは図１２−（ｃ）に示す形態をする場合、図２−（ｂ）に示すように泥除け材下端の捩じり部分が泥水中に浸かっているときには、泥除け材の前方に存在し、各受け片の表面に衝突する（押される）泥水が図１−（ｂ）中もしくは図１２−（ｂ）中の矢印で示すように作業機の中央部寄りに位置する受け片の背面側へ回り込み易くなる。この結果、泥除け材の前方に存在する泥水を隣接する受け片間の間隙から泥除け材の背面側へ誘導し易くなり、泥水に作業機の両側から中央部側へ向かう水流を発生させることが可能である。
【００３１】
泥除け材はその長さ方向が複数の受け片により分割され、この複数の受け片が集合することで、使用状態では基本的には図１−（ａ）、図８、図１２−（ａ）に示すように暖簾状の形状をする。
【００３２】
シールドカバーの幅方向に複数枚の泥除け材が装着される場合、泥除け材は図１−（ａ）、図３、図１２−（ａ）に示すようにシールドカバーにはその幅方向の中心に関して線対称、あるいは面対称の状態で装着される。１枚の泥除け材が作業機の全幅に亘る長さを有する場合には、複数の受け片が泥除け材の長さ方向の中心に関して対称に形成される。
【００３３】
図１０に示すように泥除け材の下端が水平である場合、泥除け材の下端部自体は積極的に泥水に流れを発生させるようには作用しないが、例えば図１−（ａ）、図１１−（ａ）に示すように各受け片の下端部に、作業機の幅方向両側から中央部側へかけて下方から上方へ向かう傾斜を付ければ（請求項３）、泥除け材の下端部分が泥水中に浸かっている図２−（ｂ）のときに、泥除け材の前方に存在する泥水を作業機の幅方向両側から中央部側へ移動させる機能を持たせることが可能である。
【００３４】
泥除け材の前方に存在する泥水が各受け片の下端部により進行方向前方側へ押し出されようとするとき、受け片の泥水中に浸かっている部分から泥水が受ける抵抗より、泥水中に浸かっていない部分から泥水が受ける抵抗が小さいため、泥水は受け片からの抵抗が小さい側へ向かおうとする。この結果、泥除け材の前方に存在する泥水には各受け片の下端部に矢印で示すように抵抗の大きい作業機の幅方向両側から抵抗の小さい中央部側へ移動する水流が発生し、浮遊物が作業機中央部側へ誘導され、耕耘ロータによって泥土中に埋め込まれることが促進されることになる。なお、図示はしないが受け片の下端部全体が泥水中に浸かっている場合も前記と同様の水流が発生し、浮遊物が作業機中央部側へ誘導され、耕耘ロータによって泥土中に埋め込まれることが促進されることになる。
【００３５】
受け片からの抵抗が小さい側へ向かおうとすることは、泥除け材に堰き止められた浮遊物にも当てはまるため、浮遊物は泥水に生ずる水流に乗って作業機幅方向中央部側へ誘導されることに加え、直接的にも作業機幅方向中央部側へ誘導されることになる。
【００３６】
また図１１−（ｂ）、（ｃ）に示すように、図１１−（ａ）に示す傾斜が付いた泥除け材（受け片）の下端面（下向き面）に、泥除け材の背面側から表面側へかけて下方から上方へ向かう傾斜が付けられていれば、泥除け材の厚みの範囲で泥除け材の下端面に衝突する泥水を作業機の中央部側へ誘導する効果が高まる。図１１−（ｃ）では右側が泥除け材の前方側になる。
【００３７】
この場合、図１１−（ｂ）に示す泥除け材の前方に存在する泥水が泥除け材の下端部から進行方向前方側へ押し出されようとするときに、各受け片の下端面においても矢印で示すように抵抗の大きい作業機の幅方向両側から抵抗の小さい中央部側へ移動する水流が発生するため、泥水と浮遊物に対する作業機幅方向中央部側への誘導効果が高まる。
【００３８】
また、図１１−（ａ）、（ｂ）の場合、各受け片の下端部に傾斜が付けられることで、下端部の内、作業機の幅方向両側寄りの端部が最下端のレベルになる。この下端部が泥水の水面に浸かる程度（図８−（ｂ）に示すレベル）のときには、下端部の傾斜によって作業機の幅方向中央部寄りの下端部と水面との間に空隙が形成されるため、下端部が発生させる水流により、空隙から浮遊物がシールドカバー内部に取り込まれ易くなる。
【００３９】
請求項３に記載の代掻き作業機における泥除け材は単体では、前記各受け片の下端部に、前記長さ方向一方側から前記他方側へかけて下方から上方へ向かう傾斜が付けられていることを構成要件とする（請求項７）。ここでの「前記長さ方向」も請求項５における「長さ方向」を意味し、「長さ方向一方側」と「長さ方向他方側」はそれぞれ請求項１における「代掻き作業機の幅方向両側」と「代掻き作業機の幅方向中央部側」に対応する。
なお、受け片自体に捩り等が加えられている場合は、受け片の表面側と背面側を反転させて使用することはできない。また、シールドカバーに斜めに取り付けられる受け片にあっては、受け片の表面側と背面側を反転させて使用することができる。
【００４０】
泥除け材は継続的な使用により摩耗、もしくは損傷し得るため、原則的にはシールドカバーに対し、着脱自在に接続される。泥除け材は上方（幅方向の上端部寄り）にシールドカバーの進行方向前方側に位置する前面部（実施形態における垂下部２ｂ）に接続される接続部１ａを有することで、各受け片１ｅが独立して挙動可能な状態を維持したまま、作業機に装着される（例えば図１−（ａ）、図３、図８、図１２−（ａ）参照）。この場合も着脱自在であるか否かは問わない。上方に接続部１ａを有する泥除け材（受け片）は接続部１ａにおいてシールドカバーの前面部に接続されることによりシールドカバーの一部になる。
【００４１】
泥除け材を縦断面で見たとき、図５に示すように泥除け材が上方（接続部）から下方（受け片）へかけて作業機の進行方向前方側から後方側へ傾斜した状態でシールドカバーに接続されている場合（請求項４）には、泥除け材の前方に存在し、その前面に衝突する浮遊物と泥水が傾斜した前面に沿って泥除け材の下方側へ誘導されようとするため、浮遊物等をシールドカバー内部に取り込む効果が発揮される。
【００４２】
この場合、泥除け材の背面が進行方向前方側から後方側へ傾斜することで、泥除け材の背面を流下する泥水を泥除け材の背面下方に取り込み易くなる。接続部から受け片へかけての傾斜は通常、泥除け体が傾斜した状態でシールドカバーに接続されることにより形成されるが、泥水への水流発生効果を阻害しない程度であれば、図９に示すように泥除け材自体が表面側から背面側へかけて、泥除け材の長さ方向の軸の回りに湾曲、あるいは屈曲している場合もある。
【００４３】
泥除け材の表面が傾斜した状態でシールドカバーに接続されている場合、泥除け材（受け片）がその前面に衝突する泥水をその下方へ流すことができることで、受け片の下端面や前面による泥水の作業機中央部側への水流の発生を阻害することがない。特に受け片の下端部が作業機の両側から中央部側へかけて上方へ傾斜している場合において（請求項３）、泥除け材自体が傾斜している場合には、受け片の前面に衝突して下方へ流れた泥水を下端面の下に取り込むことができる。この結果、受け片の前面から下方へ流れた泥水を受け片の下端面から作業機の中央部側へ向かう泥水の流れに乗せることができるため、泥除け材の前方からの浮遊物をシールドカバー内部に取り込む効果が発揮され易くなる。
【発明の効果】
【００４４】
長手方向に分割された複数の受け片を有する泥除け材が、受け片の表面に、代掻き作業機の幅方向両側から中央部側へかけて前方から後方に向かう傾斜が付けられた状態でシールドカバーの進行方向前方側に接続されるので、泥除け材の前方に存在する泥水を受け片の傾斜した表面で押したときに、隣接した受け片間の間隙から泥除け材の背面側へ誘導させることができる。
【００４５】
この結果、泥除け材の前方に存在する泥水上を浮遊する藁等の浮遊物が自然に作業機側へ誘導され、シールドカバー内部に取り込まれることで、浮遊物は耕耘ロータに巻き込まれ、泥土中に埋め込まれていくことになる。
【００４６】
また、泥除け材の長手方向が複数の受け片に分割されることにより、受け片の表面の傾斜は、シールドカバーとの接続状態にかかわらず受け片自体を傾斜させることで受け片の表面に傾斜が付けられる場合の他に、シールドカバーとの接続状態により受け片の表面に傾斜が付けられる場合もあり得るので泥除け材の設計の自由度が広がる。さらに、シールドカバーとの接続状態により受け片の表面に傾斜が付けられる場合は、受け片自体に捩り加工を施す必要はないので製作コストを低減することができる。
さらにまた、シールドカバーとの接続により受け片の表面に傾斜が付けられる場合は、泥除け材の単体（受け片）が表面側と背面側を反転させての使用が可能である。従って製作コストを低減することができる。
【図面の簡単な説明】
【００４７】
【図１】（ａ）はシールドカバー前方の幅方向両側寄りの位置に、両側から中央部側にかけて前方から後方への傾斜が付けられた４枚の独立した受け片を有する２組の泥除け材を接続した代掻き作業機を示したトラクタ側の正面図、（ｂ）は（ａ）のｙ−ｙ線の矢視図、（ｃ）は中央部側が前方から後方への捩りが加えられた受け片の一例を示した斜視図である。
【図２】（ａ）、（ｂ）は図１のＸ−Ｘ線の矢視図であり、（ａ）は通常の水位の状態を、（ｂ）は（ａ）より水位が上昇している状態を示す。
【図３】作業機本体に延長作業機を連結した場合に、シールドカバー前方に泥除け材を接続した様子を示したトラクタ側の正面図である。
【図４】図３に示す代掻き作業機における延長作業機を折り畳み、格納した様子を示した側面図である。
【図５】図２、図４のシールドカバーの断面拡大図である。
【図６】図３に示す代掻き作業機による作業時の様子を示した平面図である。
【図７】図３に示す代掻き作業機が泥水のある圃場を作業中の様子を示した斜視図である。
【図８】（ａ）、（ｂ）は図７に示す状態にある泥除け材の傾斜スリットにおける泥水の流れを示した立面図であり、それぞれ図２−（ａ）、（ｂ）に対応している。
【図９】（ａ）、（ｂ）は泥除け材のシールドカバーへの図５以外の接続例であり、（ａ）は泥除け材を屈曲させた場合、（ｂ）は湾曲させた場合の縦断面図である。
【図１０】下端が水平な泥除け材の立面図である。
【図１１】（ａ）は受け片の下端部を傾斜させた場合の泥除け材の製作例を示した立面図、（ｂ）は（ａ）に示す傾斜が付いた受け片の下端面に、泥除け材の背面側から表面側へかけて下方から上方へ向かう傾斜を付けた場合の泥除け材を示した立面図、（ｃ）は（ｂ）のｘ−ｘ線断面図である。
【図１２】（ａ）は両側から中央部側にかけて前方から後方への傾斜が付けられた取付け部を有するシールドカバー前方の幅方向両側寄りの位置に、独立した４枚の受け片を有する２組の泥除け材を接続した代掻き作業機を示したトラクタ側の正面図、（ｂ）は（ａ）のｙ−ｙ線の矢視図、（ｃ）は両側から中央部側にかけて前方から後方への傾斜が付けられた取付け部に取り付けられた泥除け材を示した斜視図である。
【発明を実施するための形態】
【００４８】
以下、図面を用いて本発明を実施するための最良の形態を説明する。
【００４９】
図１−（ａ）は図６に示すトラクタ２０の後部に装着され、トラクタ２０からの動力を受けて水平軸回りに回転する耕耘ロータ６とその上方を覆うシールドカバー２とを備え、シールドカバー２の進行方向前方側に、長手方向に分割された複数の受け片１ｅを有する泥除け材１が、受け片１ｅの表面に、代掻き作業機（以下、作業機）１０の幅方向両側から中央部側にかけて前方から後方に向かう傾斜が付けられた状態で接続された作業機１０である。泥除け材１の詳細は後述する。
【００５０】
作業機１０の本体１０Ａは図１、図２に示すようにトラクタ２０後部のトップリンクとロアリンクからなる３点リンクヒッチ機構に連結されるトップマスト１１と、ロアリンク連結部１２を備え、この３点リンクヒッチ機構を介してトラクタ２０の後部に昇降可能に装着される。トップマスト１１の下端部には、トラクタ２０のＰＴＯ出力軸にユニバーサルジョイント、伝動シャフト等を有するジョイント軸を介して連結されるギアボックス１３が配置され、ギアボックス１３から本体１０Ａの幅方向に伝動フレーム１４と支持フレーム１５が架設される。ＰＴＯ出力軸からの動力はギアボックス１３のＰＩＣ入力軸１３ａに伝達され、ＰＩＣ入力軸１３ａで受けた動力は伝動フレーム１４の内部を挿通する伝動シャフトに伝達される。
【００５１】
伝動フレーム１４の先端部にはチェーン伝動ケース１６が垂下する形で固定され、支持フレーム１５の先端にはチェーン伝動ケース１６に対向する端部カバー１７が固定される。この伝動ケース１４と端部カバー１７との間に耕耘ロータ６のロータリ軸７が軸回りに回転自在に架設される。チェーン伝動ケース１６とロータリ軸７間にはチェーンが張架され、チェーンを通じて伝動シャフトの動力がロータリ軸７に伝達される。シールドカバー２はその両端部の端板２１、２１においてチェーン伝動ケース１６と端部カバー１７に接合される。
【００５２】
ロータリ軸７の外周には周方向に適度な間隔を置いて耕耘爪８が突設され、ロータリ軸７と耕耘爪８から耕耘ロータ６が構成される。耕耘爪８はロータリ軸７の軸方向には互いに干渉しない程度の間隔を置いて配置される。ロータリ軸７の軸方向に隣接する耕耘爪８、８は例えば軸の中心に関して互いに角度が付いて配列し、耕耘ロータ６の全体では耕耘爪８の先端部が図２、図４、図５に２点鎖線で示す回転軌跡を描く。図２−（ａ）は通常の水位の状況を、（ｂ）は（ａ）より水位が高い状況を示している。図８−（ａ）、（ｂ）は図２−（ａ）、（ｂ）に対応したシールドカバー２の正面を示している。
【００５３】
伝動フレーム１４と支持フレーム１５の下には耕耘爪８の回転範囲を覆い、作業機１０の本体１０Ａを土砂から保護するシールドカバー２が配置される。シールドカバー２は図１に示すようにその上面（外周面）に突設された連結材２ａにおいて、伝動フレーム１４と支持フレーム１５の下に突設された下部ブラケット１４ａ、１５ａに接合されることにより両フレーム１４、１５に支持される。
【００５４】
図２−（ａ）におけるロータリ軸７の下端直下の二点鎖線、及び図２−（ｂ）におけるロータリ軸７を通る二点鎖線は圃場の泥面のレベルを示すが、泥水面のレベルは泥面の深度の変化に応じて変化する。図１、図８、図１２は泥除け材１を構成する各受け片１ｅの下端部が作業機１０の両側から中央部側へかけて上方へ傾斜している場合の例を示している。図２−（ａ）に示す通常の水位の状況下では、泥水面のレベルは図８−（ａ）に示すように各受け片１ｅの下端部が泥水に浸からないが、図２−（ｂ）に示す水位の高い状況下では、図８−（ｂ）に示すように各受け片１ｅの下端部の半分程度が泥水に浸かる。
【００５５】
図２−（ａ）、図８−（ａ）に示す水位の状況下では、泥除け材１は耕耘爪８が掻き出す泥水を間隙１ｄを通じて泥除け材１の下端部にまで誘導した後、作業機１０の中央部側へ誘導する働きをする。図２−（ｂ）、図８−（ｂ）に示す水位の状況下では、泥除け材１は耕耘爪８が掻き出す泥水を間隙１ｄを通じて下端部にまで誘導することに加え、泥除け材１の前方に存在する泥水及び浮遊物を受け片１ｅの下端部によって作業機１０の中央部側へ誘導する働きをする。
【００５６】
浮遊物は図２−（ａ）に示すように受け片１ｅの下端部と水面との間に間隔がある状況下でシールドカバー２内に入り込み易いが、泥除け材１の長さ方向が間隙１ｄをあけた複数の受け片１ｅに分割されていることで、各受け片１ｅが分割されていない場合（一体形成）と比較すると、各受け片１ｅが曲げ変形し易い（変形自由度が大である）ため、図２−（ｂ）に示す状況下においても、浮遊物のシールドカバー２内への取り込み効果は維持される。受け片１ｅは浮遊物等からの抵抗を受けて弾性変形したときにも直ちに復元可能であるため、泥水の誘導効果に影響はない。
【００５７】
図３、図４は本体１０Ａの幅方向両側に延長作業機３０を折り畳み自在に連結した場合に、本体１０Ａと延長作業機３０に泥除け材１を接続した様子を示している。図３は延長作業機３０を展開した状態を、図４は延長作業機３０を格納した状態を示している。
【００５８】
延長作業機３０は図４に示すように展開時に耕耘ロータ６と同時に回転する耕耘ロータ３４とその上方を覆うシールドカバー３１と、シールドカバー３１の幅方向両側に位置する端板３２を持ち、端板３２において本体１０Ａの端板２１に展開と折り畳みが自在な状態に連結される。延長作業機３０は例えば図４に示すように進行方向に対して鉛直方向側へ傾斜した軸の回りに回転自在に本体１０Ａに連結される。延長作業機３０の耕耘ロータ３４は展開時に本体１０Ａの耕耘ロータ６のロータリ軸７にクラッチを介して連結されることにより耕耘ロータ６からの動力を受ける。
【００５９】
延長作業機３０はその端板３２の上部側に突設されたブラケット３３において、本体１０Ａにおける端板２１の上部側の後方寄りの位置に突設されたブラケット２２にピン２３等により連結されることにより展開と格納が自在な状態に連結される。延長作業機３０の展開状態と格納状態はそれぞれの状態を保持する拘束装置３５によって拘束される。図６は延長作業機３０の展開状態での作業機１０の作業時の様子を示している。
【００６０】
図６に示すように本体１０Ａの後方には圃場の泥面を均す整地板４０が接続されるが、延長作業機３０の後方には、その展開状態で本体１０Ａの整地板４０に連続し得る整地板４１が接続される。図６では延長作業機３０の整地板４１の幅方向外側に、作業機１０の後方に存在する泥水や藁等の浮遊物を作業機１０の幅方向中央部側へ押し流す補助整地板４２を連結している。
【００６１】
独立した４枚の受け片１ｅを有する泥除け材１は図１−（ａ）、（ｂ）及び図２に示すようにシールドカバー２の進行方向前方側、具体的には前方側を向く取付板３に上端部において接続されることにより、作業機１０の幅方向両側から中央部側にかけて前方から後方に向かう傾斜が付けられた状態でシールドカバー２に装着される。シールドカバー２は耕耘ロータ６を包囲する断面形状をし、耕耘ロータ６の前方寄りに位置する前方部と、耕耘ロータ６の上方に位置する中間部と、耕耘ロータ６の後方寄りに位置する後方部とに区分される。
【００６２】
図面では図２の拡大図である図５に示すように前方部の先端位置に垂下部２ｂを形成し、この垂下部２ｂに対して取付板３を着脱自在に配置し、取付板３を泥除け材１と共に、垂下部２ｂに対してボルトやピン等の締結具４により着脱自在に接続することにより泥除け材１の清掃と交換の作業性を確保している。垂下部２ｂと取付板３、及び泥除け材１の締結具４が貫通する部分には挿通孔が形成される。図１−（ｃ）、図１０、図１１−（ａ）、（ｂ）では泥除け材１の挿通孔を１ｂで示している。
【００６３】
各受け片１ｅ（泥除け材１のこと）は取付板３の表面に接触した状態で締結具４によって直接、接合されることもあるが、図面では締結具４による各受け片１ｅの拘束力が泥除け材１の長さ方向に均等に作用するよう、各受け片１ｅの表面側の締結材４との間に泥除け材１（の接続部）と同等程度の長さを有する、フラットバー等からなる押さえ材５を介在させている。延長作業機３０のシールドカバー３１に対しても泥除け材１（各受け片１ｅのこと、以下同様）は取付板３を介して、または取付板３と押さえ材５を介して締結具４によって接続される。この場合、押さえ材５にも締結具４が挿通する挿通孔が形成される。
【００６４】
図面では特に取付板３をＬ形断面形状に形成することにより、シールドカバー２の垂下部２ｂに重なりながら、泥除け材１が重なった状態でこれを受ける支持部３ａと、支持部３ａに対して屈曲し、先端がシールドカバー２の前方部の表面に接触（当接）する当接部３ｂの２部分から構成し、泥除け材１のシールドカバー２への接続時に、泥除け材１が鉛直面に対して決まった角度でシールドカバー２に接続されるようにしている。
【００６５】
図５は泥除け材１の表面（前方側の表面）が受ける泥水を下方へ誘導することができるよう、上方側から下方側へかけて作業機１０の進行方向前方側から後方側へ傾斜した状態で泥除け材１を接続した様子を示している。泥除け材１の背面が進行方向前方側から後方側へ傾斜することで、泥除け材１の背面を流下する泥水を泥除け材１の下方に誘導し易くなる。泥除け材１の表面が受ける泥水を下方へ誘導することは、図９−（ａ）に示すように泥除け材１自体を表面側から背面側へ屈曲させるか、図９−（ｂ）に示すように湾曲させることによっても可能になる。
【００６６】
図９−（ａ）、（ｂ）では泥除け材２の高さ方向下側の部分が表面側から背面側へ屈曲、もしくは湾曲することで、泥除け材１の表面で受ける泥水を進行方向前方側へ押し出すことなく、後方側へ誘導することが可能になっている。図９−（ｂ）のように泥除け材１の下側部分が湾曲している場合には、図９−（ａ）に示す平面状の場合より、泥除け材１の表面に接触した泥水の速度が後方へ行くに従って低下するため、後方側への誘導効果は高いと考えられる。図９−（ｂ）の場合にはまた、泥除け材１の前方に存在する浮遊物を泥除け材１の背面側（シールドカバー２内部）へ取り込む効果も高い。
【００６７】
泥除け材１は、図１−（ｃ）、図８（図１−（ａ）における作業機１０の幅方向両側寄りの拡大図）、図１０、図１１−（ａ）、（ｂ）、図１２−（ｃ）に示すように基本的にはシールドカバー２の前方側に位置する垂下部２ｂに接続される接続部１ａと、接続部１ａに連続し、下方へ垂下する泥受け部１ｃとに高さ方向（幅方向）に区分される。接続部１ａにはシールドカバー２の垂下部２ｂに接続されるための、前記締結具４が挿通する挿通孔１ｂが形成される。
【００６８】
泥受け部１ｃは間隙１ｄをあけて配された複数の受け片１ｅから形成される。間隙１ｄは直線状である必要はなく、曲線状に形成されることもある。間隙１ｄを複数本、有することで、泥水等を作業機１０の中央部側へ誘導する効果を発揮するため、１個の泥除け材１に付き、複数個の受け片１ｅから形成されことが適切である。従って、受け片１ｅの数は問わない。
【００６９】
泥除け材１はシールドカバー２の全長に亘って配置されることもあるが、耕耘ロータ６が掻き出す泥水と泥土をシールドカバー２の内部に留めながら、シールドカバー２の前方に存在する泥水をシールドカバー２の内部に誘導することができればよいため、必ずしも全長に配置される必要はなく、図１に示すように少なくともシールドカバー２の幅方向両側寄りの区間に配置されればよい。
【００７０】
図１−（ａ）、（ｂ）、図１１−（ａ）、（ｂ）、図１２−（ａ）、（ｂ）は「長手方向に分割された複数の受け片１ｅを有し、受け片１ｅの表面に、作業機１０の幅方向両側から中央部側にかけて前方から後方に向かう傾斜が付けられた状態でシールドカバー２に接続されている」の要件を備えた泥除け材１の基本的な形態を示している。これによれば、泥除け材１下端の捩じり部分が泥水中に浸かっているときには、泥除け材１の前方に存在し、各受け片１ｅの表面に衝突する（押される）泥水が図１−（ｂ）、図１１−（ｂ）、図１２−（ｂ）中の矢印で示すように作業機１０の中央部寄りに位置する受け片１ｅの背面側へ回り込み易くなる。この結果、泥除け材１の前方に存在する泥水を隣接する受け片１ｅ、１ｅ間の間隙１ｄから泥除け材１の背面側へ誘導し易くなり、泥水に作業機１０の両側から中央部側へ向かう水流を発生させることができる。
この場合、受け片１ｅの、作業機１０の中央部側に位置する端部が、前記した受け片１ｅに隣り合った受け片１ｅの、作業機１０の幅方向両側に位置する端部よりも進行方向後方側に位置していることで、受け片１ｅの傾斜が泥水等を作業機１０の中央部側へ誘導する効果を発揮する。なお、必ずしも図１、図１１、図１２のように各受け片１ｅの下端部が水平に対して傾斜している必要はなく、図１０のように各受け片１ｅの下端が水平であってもよい。
【００７１】
泥除け材１（受け片１ｅ）自体の厚さは泥除け材１に要求される機能（性能）に応じて異なり、その機能に対応する曲げ剛性を発揮させるための材料（素材）にもよるが、例えば合成樹脂やゴムの場合であれば、１．５〜２．５ｍｍ程度になる。
【００７２】
図７はシールドカバー２前方の垂下部２ｂに泥除け材１を接続した作業機１０を泥土上に泥水が貯留した圃場内を実際に作業しているときの様子を示している。
【００７３】
図１、図８、図１２は特に、「長手方向に分割された複数の受け片１ｅを有し、受け片１ｅの表面に、作業機１０の幅方向両側から中央部側へかけて前方から後方に向かう傾斜が付けられた状態でシールドカバー２に接続されている」ことの要件に加え、「各受け片１ｅの下端部に、作業機１０の幅方向両側から中央部側へかけて下方から上方へ向かう傾斜が付けられていること」の要件を備えた泥除け材１の形態を示している。このように受け片１ｅの下端部が傾斜している場合、図８−（ａ）に示すように受け片１ｅの下端部と泥水面との間に間隔がある水位の状況下では、受け片１ｅの下端部に衝突した稲株等の浮遊物は泥水面から受け片１ｅの下端部までの距離の大きい作業機１０の中央部側へ流れ込もうとするため、浮遊物を作業機１０の中央部側へ誘導する効果が期待される。
【００７４】
泥水面の水位が図８−（ｂ）に示すように各受け片１ｅにおける下端部の幅方向中央部のレベルにある状況下では、受け片１ｅの下端部が泥水面に浸かる（接触する）ことで、泥水を作業機１０の幅方向両側から中央部側へ誘導する作用をするため、泥除け材１の前方に存在する泥水に対して直接、水流を発生させる効果が期待される。
【００７５】
本体１０Ａと延長作業機３０の各シールドカバー２、３１に泥除け材１を図３に示す状態で装着した作業機１０を実際に０．７ｍ〜１．４ｍ／秒程度の速度で作業させたとき（図７）、泥除け材１による泥水を押し退ける効果に起因して泥除け材１の前方に存在する泥水にシールドカバー２の幅方向中央部側を向く流れが発生し、泥除け材１の前方に存在する泥水がシールドカバー２の幅方向中央部側へ誘導されることが確認されている。
【００７６】
泥除け材１は前記のように高さ方向には接続部１ａと泥受け部１ｃとに区分され、幅方向（長さ方向）には間隙１ｄをあけた複数枚の受け片１ｅに区分される。図１０は上方から下方へかけて作業機１０の幅方向両側から中央部側へ向かう傾斜の付いた間隙１ｄをあけて複数に分割され、かつ下端部が水平な受け片１ｅを有する泥除け材１の形態例を示しているが、図８では泥除け材１を表面側（進行方向前方側）から見た立面を示しており、シールドカバー２の進行方向前方に向かって右側に接続された泥除け材１を示している。従って立面図中、左側が作業機１０の幅方向側端寄りであり、右側が中央部寄りになる。
【００７７】
傾斜が付けられた間隙１ｄは泥除け材１の背面に沿って降下する泥水が間隙１ｄを通じて流れ落ちるときに、泥水を作業機１０の中央部寄りに送り込むことで、作業機１０の前方に存在する泥水の水面に、作業機１０の幅方向両側から中央部側へ向かう流れを発生させる。間隙１ｄには、泥水が作業機１０の幅方向両側から中央部側へ向かう速度を持って間隙１ｄから流れ落ちるよう、図１−（ａ）、図８、図１０、図１１−（ａ）、（ｂ）、図１２−（ａ）に示すように上方から下方へかけて作業機１０の幅方向両側から中央部側へ向かう傾斜が付けられる。
【００７８】
基本的な泥除け材１は図１−（ｂ）、図１２−（ｂ）に示すように受け片１ｅの表面に、作業機１０の幅方向両側から中央部側へかけて前方から後方に向かう傾斜がつけられた状態でシールドカバー２の進行方向前方側に接続されればよいため、必ずしも各受け片１ｅの下端部が水平に対して傾斜している必要はなく、図１０のように各受け片１ｅの下端が水平であってもよい。
【００７９】
また図８−（ａ）、（ｂ）、図１２−（ａ）のいずれの場合も、受け片１ｅの下端部を作業機１０の幅方向両側から中央部側へかけて上向きに傾斜させることで、その両側部分を曲線状に形成したことと併せ、受け片１ｅの下端部と泥水面との間の距離が作業機１０の中央部側で拡大するようにしている。この結果、泥除け材１の前方側に存在する浮遊物を各受け片１ｅ単位では作業機１０の中央部側でシールドカバー２内部に取り込み易くなっている。また図８−（ｂ）のように受け片１ｅの下端部が泥水に浸かっている場合には、水面付近の泥水に作業機１０の中央側へ向かう水流を発生させ易くなっている。
【００８０】
図１１−（ａ）は図１−（ａ）、図８−（ａ）、（ｂ）と同様、各受け片１ｅの下端部が傾斜していることの要件と、上方から下方へかけて作業機１０の幅方向両側から中央部側へ向かう傾斜の付いた間隙１ｄをあけて複数に分割された受け片１ｅを備えた泥除け材１の製作例を示している。図１１−（ａ）中の矢印は泥除け材１の前方に存在する泥水が泥除け材１の下端部に衝突することにより、抵抗の大きい作業機１０の幅方向両側から抵抗の小さい中央部側へ移動する水流が発生し、泥水が作業機１０の幅方向中央部寄りに流れる様子を示している。受け片１ｅの下端面は平面である必要はなく、曲面の場合もある。
【００８１】
図１１−（ｂ）はそのｘ−ｘ線の断面図である図１１−（ｃ）に示すように泥除け材１の各受け片１ｅの傾斜した下端面に、泥除け材１の背面側から表面側へかけて下方から上方へ向かう傾斜を付けることで、泥除け材１の下端面に衝突する泥水を作業機１０の中央部側へ誘導する効果を得る場合の受け片１ｅの形成例を示す。この場合に、受け片１ｅの下端部（下端面）に、下に凹、または凸となる円筒面状、あるいは徐々に曲率が変化する楕円曲面状の曲面に形成すれば、泥水に作業機１０の中央部側へ向かう水流を発生させる効果が高まる。
【００８２】
図１２−（ａ）〜（ｃ）は「長手方向に分割された複数の受け片１ｅを有する泥除け材１が、受け片１ｅの表面に、作業機１０の幅方向両側から中央部側へかけて前方から後方に向かう傾斜が付けられた状態でシールドカバー２の進行方向前方側に接続されている」の要件を備えた泥除け材１の製作例を示している。図１２−（ｂ）は図１２−（ａ）のｙ−ｙ線の断面、図１２−（ｃ）は泥除け材１の斜視図を示す。受け片１ｅの表面が傾斜することの要件を備えた泥除け材１は図１１のように下端部が傾斜していることの要件を備えるか否かを問わないが、泥除け材１は図１２−（ｃ）に示されている作業機１０の両側よりも中央部側の端部が進行方向後方側に位置する傾斜が付けられたシールドカバー２（取付板３を含む）の複数の取付部２ｂに各受け片１ｅが接続されることで各受け片１ｅに傾斜が付けられている。この場合は、図１２−（ｃ）に示すようにシールドカバー２の前面の取付部２ｂが、作業機１０の両側よりも中央部側が進行方向後方側となる傾斜が付けられることで得られる。図１２−（ｃ）では右側が泥除け材１の中央部側になる。
【００８３】
この場合、図１２−（ｂ）中の矢印で示すように泥除け材１の前方に存在する泥水は受け片１ｅの表面に押されることによりその表面の傾斜により間隙１ｄから泥除け材１の背面側へ誘導され、作業機１０の幅方向中央部寄りへ流れることになる。この場合の受け片１ｅの表面も平面である必要はなく、曲面の場合もある。
【符号の説明】
【００８４】
１……泥除け材、１ａ……接続部、１ｂ……挿通孔、１ｃ……泥受け部、１ｄ……間隙、１ｅ……受け片、
２……シールドカバー、２ａ……連結材、２１……端板、２２……ブラケット、２３……ピン、２ｂ……垂下部、
３……取付板、４……締結具、５……押さえ材、
６……耕耘ロータ、７……ロータリ軸、８……爪、
１０……代掻き作業機、１０Ａ……本体、１１……トップマスト、１２……ロアリンク連結部、１３……ギアボックス、１３ａ……入力軸、
１４……伝動フレーム、１４ａ……下部ブラケット、１４ｂ……上部ブラケット、
１５……支持フレーム、１５ａ……下部ブラケット、１５ｂ……上部ブラケット、
１６……チェーン伝動ケース、１７……端部カバー、
２０……トラクタ、
３０……延長作業機、３１……シールドカバー、３２……端板、３３……ブラケット、３４……耕耘ロータ、３５……拘束装置。
【図１】
2010178720.tif 000003
【図２】
2010178720.tif 000004
【図３】
2010178720.tif 000005
【図４】
2010178720.tif 000006
【図５】
2010178720.tif 000007
【図６】
2010178720.tif 000008
【図７】
2010178720.tif 000009
【図８】
2010178720.tif 000010
【図９】
2010178720.tif 000011
【図１０】
2010178720.tif 000012
【図１１】
2010178720.tif 000013
【図１２】
2010178720.tif 000014